(57)【要約】      （修正有）【課題】シーリングディフューザーを取り付ける際の外コーン仮挿入による位置決め用マーキング作業を排除し、取り付け精度を向上を可能とするシーリングディフューザー取り付けリング及びダクトとシーリングディフューザーの接合構造を提供する。【解決手段】帯状の板材の厚み方向に曲げ加工を施してなるリング１０と、リング１０に少なくとも１箇接合されてなるシーリングディフューザーを取り付けるためのＬ型金具８２ａ〜８２ｃと、リング１０の周の９０°毎にリング１０をダクト８１に取り付けるための貫通孔１１ａ〜１１ｄと、を有するシーリングディフューザー取り付けリングであって、ダクト８１とシーリングディフューザーとの間に、シーリングディフューザー取り付けリングを介在させる。【選択図】図２
0003216336.tif 000002
【実用新案登録請求の範囲】
【請求項１】
シーリングディフューザーを取り付けるための少なくとも１箇のＬ型金具と、ダクトに取り付けるためのリングの周のほぼ９０°毎に４箇所の貫通穴を有するシーリングディフューザー取り付けリングにおいて、前記貫通穴の位置が、前記シーリングディフューザーの、取り付け方向のマーカーを兼用し得るように、調整されてなることを特徴とするシーリングディフューザー取り付けリング。
【請求項２】
ダクトとシーリングディフューザーとの間に、請求項１に記載のシーリングディフューザー取り付けリングを介在させてなることを特徴とする、ダクトとシーリングディフューザーの接合構造。
【考案の詳細な説明】
【技術分野】
【０００１】  本考案は、空調機からの空気を、室内に均一に拡散させるために、天井に設置される、室内空調用シーリングディフューザーの取り付けを容易にするための部材に関するものである。
【背景技術】
【０００２】  従来のシーリングディフューザー設置方法は、取り付ける対象となる既設ダクトの内側の３箇所に、雌ネジが設けられたタップＬ型金具をビス止めし、シーリングディフューザーの外コーンに装着され、長穴が設けられてなる長穴Ｌ型金具の長穴を、タップＬ型金具の雌ネジの位置を合わせ、長穴側からボルトで締め付けることにより、天井に設置するというものである。【０００３】  シーリングディフューザーには円形のものと、角形、四角形のものがあり、四角形のシーリングディフューザーを取り付ける際には、四角形の辺を、室内の壁と平行になるように配置する必要があるため、３つのタップＬ型金具の位置を調整する必要がある。【０００４】  図８は、既設のダクトに、円形のシーリングディフューザーを取り付けるための、それぞれの部品と、その位置関係を示した斜視図である。図８において、８１はシーリングディフューザーを取り付ける対象物である、鉄で形成された既設のダクト、８２ａ、８２ｂ、８２ｃはタップＬ型金具、８３ａ、８３ｂ、８３ｃはタップＬ型金具をダクトに取り付けるためのビス、８４はシーリングディフューザー外コーン、８５ａ，８５ｂ、８５ｃはシーリングディフューザー外コーンに装着されている長穴Ｌ型金具、８６ａ、８６ｂ，８６ｃはタップＬ型金具と長穴Ｌ型金具を締め付けるボルトである。【０００５】  図５は、既設のダクト８１に、タップＬ型金具８２ａ、８２ｂ、８２ｃを取り付ける際の、取り付けの位置特定の方法を示す斜視図である。その手順は、既設のダクト８１の内側に、シーリングディフューザー外コーン８４を仮挿入し、片手でそれを保持しながら、予めシーリングディフューザー外コーン８４に装着されている、長穴Ｌ型金具８５ａ、８５ｂ、８５ｃの位置を、既設のダクト８１の内面に、マーキング５０ａ、５０ｂ、５０ｃで示すというものである。この場合、シーリングディフューザーが円形なので、壁の方向に合わせて、マーキングを行う必要がない。【０００６】  図６は、既設のダクト８１に、角形のシーリングディフューザー取り付ける際の、タップＬ型金具の、位置特定の方法を示す斜視図である。この場合は、シーリングディフューザーが直線の辺を備えているので、当該辺を壁の面と平行に配置する必要がある。【０００７】  その手順は、まず、既設のダクト８１の内側に角形シーリングディフューザー外コーンを仮挿入し、アネモ形吹き出し口外コーン６０の辺と、部屋の一番近い壁の面が平行になるように、角形シーリングディフューザー外コーン６０を回転させ、適正な角度に調整した状態で片手でそれを保持しながら、予めシーリングディフューザー外コーン８４に装着されている、長穴Ｌ型金具８５の位置を、既設のダクト８１の内側に、マーキング５０ａ、５０ｂ、５０ｃで示すというものである。【０００８】  図７は、次の手順の、マーキング５０ａ、５０ｂ、５０ｃに基づいて、タップＬ型金具８２ａ、８２ｂ、８２ｃを、取り付け用ビス８３ａ、８３ｂ、８３ｃで取り付ける状態を示す斜視図である。既設のダクト８１の内側のマーキング５０ａ、５０ｂ、５０ｃの位置に基づいて、３箇所にそれぞれタップＬ型金具８２ａ、８２ｂ、８２ｃを、取り付け用ビス８３ａ、８３ｂ、８３ｃで���定し、その後、図８に示したように、シーリングディフューザーを、予め取り付けられた長穴Ｌ型金具８５ａ、８５ｂ、８５ｃの長穴にボルト８６ａ、８６ｂ、８６ｃを挿通し、ボルト８６ａ、８６ｂ、８６ｃの雄ネジを、タップＬ型金具８２ａ、８２ｂ、８２ｃの雌ネジに螺合させることで、シーリングディフューザーを既設のダクトに設置、固定する。【０００９】  このように、従来のシーリングディフューザーの設置工程においては、設置の現場でシーリングディフューザーの取り付け方向を調整する必要があり、しかも、脚立や作業台上での作業になり、安全性の確保や作業自体の効率化の観点から、改善の余地ある。
【考案の概要】
【考案が解決しようとする課題】
【００１０】  従って、本考案の課題は、シーリングディフューザーを取り付ける際の外コーン仮挿入による位置決め用マーキング作業を排除し、取り付け精度の向上を可能とする部材を提供することにある。
【課題を解決するための手段】
【００１１】  本考案は、上記課題を解決するために、予めシーリングディフューザーのサイズに対応したリングを製作し、そのリングの所要の位置にタップＬ型金具を装着し、特に角形シーリングディフューザーにおいては、既設のダクトに、当該リングをビス止めするための貫通孔の位置に基づいて、タップＬ型金具の位置を調整すること検討した結果、なされたものである。【００１２】  つまり、本考案は、シーリングディフューザーを取り付けるための少なくとも１箇のＬ型金具と、ダクトに取り付けるためのリングの周のほぼ９０°毎に４箇所の貫通穴を有するシーリングディフューザー取り付けリングにおいて、前記貫通穴の位置が、前記シーリングディフューザーの、取り付け方向のマーカーを兼用し得るように、調整されてなることを特徴とするシーリングディフューザー取り付けリングである。【００１３】  また、本考案は、ダクトとシーリングディフューザーとの間に、前記のシーリングディフューザー取り付けリングを介在させてなることを特徴とする、ダクトとシーリングディフューザーの接合構造である。
【考案の効果】
【００１４】  本考案に係るリングを用いた設置工程においては、例えば、対向する１組の貫通孔の中心を通る線が壁の面に平行になるように、貫通孔を設けておいて、それを基準線として、タップＬ型金具の位置を調整することにより、設置の現場における、角形シーリングディフューザーの方向調整が不要になる。【００１５】  即ち、本考案により、次に列挙する効果が得られる。
（１）リングは、シーリングディフューザーのサイズごとにタップＬ型金具が特定された位置に装着されているため、既設のクトにリングを直接、位置を考慮せずにビス止めすることによりシーリングディフューザーを取り付けることができる。
（２）角形シーリングディフューザーを取り付ける際も、例えばリングの周の９０°毎に４箇所の貫通孔を設け、対向する貫通孔を通る直線が互いに直交するようにしておき、ここれを位置出しの基準として、既設のダクトにリングを直接ビス止めすることにより、角形シーリングディフューザーの四角形の辺を、設置する室の壁面と平行にすることができる。
【図面の簡単な説明】
【００１６】
【図１】  本考案に係るリングの一例を示した斜視図。
【図２】  既設のダクトに本考案に係るリングを取り付ける状態を示した斜視図。
【図３】  リングの方向を決めて既設のダクト８１に取り付けた状態を示す斜視図。
【図４】  リングを取り付けた既設のダクトに、シーリングディフューザーを取り付ける状態を示す斜視図。
【図５】  既設のダクトに、タップＬ型金具を取り付ける際の、取り付けの位置特定の方法を示す斜視図。
【図６】  既設のダクトに、角形のシーリングディフューザー取り付ける際の、タップＬ型金具の、位置特定の方法を示す斜視図。
【図７】  マーキングに基づいて、タップＬ型金具を、取り付け用ビスで取り付ける状態を示す斜視図。
【図８】  既設のダクトに、円形のシーリングディフューザーを取り付けるための、それぞれの部品と、その位置関係を示した斜視図。
【考案を実施するための形態】
【００１７】  以下、本考案の実施の形態を、図に基づいて説明する。
【００１８】  図１は、本考案に係るリング１０の一例を示した斜視図で、１２０°に分割した位置に、タップＬ型金具８２ａ、８２ｂ、８２ｃが装着されていて、そのタップＬ型金具８２ａ、８２ｂ、８２ｃの位置から角形シーリングディフューザーの辺が、取り付ける部屋の壁と平行になるように、対向する貫通孔の中心を通る直線が基準線となるように、４箇所の位置出し穴が、リング１０をダクトにビス止めするための貫通孔と兼用できる状態で設けられている。
【００１９】  図２は、角形以外のシーリングディフューザーを取り付ける際に、リング１０の方向を考慮せずに既設のダクト８１に取り付けた状態を示す斜視図である。
【００２０】  図３は、角形シーリングディフューザーを取り付ける時、４箇所の位置出し穴１１ａ、１１ｂ、１１ｃ、１１ｄの、対向する穴の中心を通る線を、設置する部屋の壁と平行にする基準線として、リング１０の方向を決めて、既設のダクト８１に取り付けた状態を示す斜視図で、図４に示すように、リングに１０に装着されている、３箇のタップＬ型金具８２ａ、８２ｂ、８２ｃとシーリングディフューザー外コーン６０に装着されている、長穴Ｌ型金具８５をボルトで締め付けることにより、角形シーリングディフューザーを設置することができる。
【産業上の利用可能性】
【００２１】  以上に説明したように、本考案に係るリングは、空調関連のシーリングディフューザーを既設ダクトに設置する場合に利用され、作業性と取り付けの精度の向上に寄与するところは極めて大きい。
【符号の説明】
【００２２】１０・・・リング      １１ａ，１１ｂ，１１ｃ，１１ｄ・・・位置出し穴
５０ａ，５０ｂ，５０ｃ・・・マーキング
６０・・・アネモ形吹き出し口外コーン      ８１・・・既設のダクト
８２ａ，８２ｂ，８２ｃ・・・タップＬ型金具
８３ａ，８３ｂ，８３ｃ，８３ｄ・・・ビス
８４・・・シーリングディフューザー外コーン
８５ａ，８５ｂ，８５ｃ・・・長穴Ｌ型金具
８６ａ，８６ｂ，８６ｃ・・・ボルト
【図１】
0003216336.tif 000003
【図２】
0003216336.tif 000004
【図３】
0003216336.tif 000005
【図４】
0003216336.tif 000006
【図５】
0003216336.tif 000007
【図６】
0003216336.tif 000008
【図７】
0003216336.tif 000009
【図８】
0003216336.tif 000010
【手続補正書】
【提出日】平成30年2月13日(2018.2.13)
【手続補正１】
【補正対象書類名】実用新案登録請求の範囲
【補正対象項目名】全文
【補正方法】変更
【補正の内容】
【実用新案登録請求の範囲】
【請求項１】
帯状の板材の厚み方向に曲げ加工を施してなるリングと、前記リングに少なくとも１箇接合されてなるシーリングディフューザーを取り付けるためのＬ型金具と、前記リングの周の９０°毎に前記リングをダクトに取り付けるための貫通孔と、を有することを特徴とする、シーリングディフューザー取り付けリング。
【請求項２】
ダクトとシーリングディフューザーとの間に、請求項１に記載のシーリングディフューザー取り付けリングを介在させてなることを特徴とする、ダクトとシーリングディフューザーの接合構造。